(57)【要約】【課題】結露を効果的に防止しつつ、コンパクト化および低コスト化を図る上で有利な道路ミラーを提供する。【解決手段】道路ミラー１０は、反射鏡１４の上縁部に沿って延在し雨の反射鏡１４への付着を防止する屋根フレーム１６を備え、屋根フレーム１６の下面部１６０２には２つの送風口１６１０と２つの空気取り入れ口１６１２が形成されている。２つのマイクロファン１８は、内部空間Ｓ内で２つの送風口１６１０にそれぞれ臨ませて設けられている。夜間になると、照度センサ２６からの検出信号に基づいて駆動制御部２８によるマイクロファン１８への電力供給が行われ、マイクロファン１８の送風動作が行われ、マイクロファン１８により緩やかな空気流が作られ、この空気流は反射鏡１４の表面に沿って流れる。【選択図】図１
2008088644.tif 000002
【特許請求の範囲】
【請求項１】
裏板と、
前記裏板の前面に取着された前方に凸の湾曲面で形成された反射鏡とを備え、
前記反射鏡をほぼ水平に向けて設置される道路ミラーであって、
前記反射鏡の上縁部に沿って延在し雨の前記反射鏡への付着を防止する屋根フレームが前記裏板に取着され、
前記屋根フレームは、前記反射鏡の上縁部に沿って延在し前記反射鏡の前方で下方に臨む下面部と、前記下面部の上方に位置し上方に臨む上面部と、それら上面部と下面部との間で前記反射鏡の上縁部に沿って延在する内部空間と、前記内部空間に外気を取り入れる空気取り入れ口とを含んで構成され、
前記下面部に送風口が形成されるとともに、前記送風口に臨ませて前記内部空間にマイクロファンが設けられ、
前記上面部に太陽電池パネルが取着され、
前記内部空間に前記太陽電池パネルから出力される電力をバッテリーに充電する充電部が設けられ、
明るさを検出する照度センサが設けられ、
前記内部空間に前記照度センサによって検出された明るさが所定値以下であるときに前記バッテリーの電力を前記マイクロファンへ供給し、前記明るさが所定値を越えるときに前記バッテリーの電力の前記マイクロファンへの供給を停止する駆動制御部が設けられている、
ことを特徴とする道路ミラー。
【請求項２】
裏板と、
前記裏板の前面に取着された前方に凸の湾曲面で形成された反射鏡とを備え、
前記反射鏡をほぼ水平に向けて設置される道路ミラーであって、
前記反射鏡の上縁部に沿って延在し雨の前記反射鏡への付着を防止する屋根フレームが前記裏板に取着され、
前記屋根フレームは、前記反射鏡の上縁部に沿って延在し前記反射鏡の前方で下方に臨む下面部と、前記下面部の上方に位置し上方に臨む上面部と、それら上面部と下面部との間で前記反射鏡の上縁部に沿って延在する内部空間と、前記内部空間に外気を取り入れる空気取り入れ口とを含んで構成され、
前記下面部に送風口が形成されるとともに、前記送風口に臨ませて前記内部空間にマイクロファンが設けられ、
前記上面部に太陽電池パネルが取着され、
前記内部空間に前記太陽電池パネルから出力される電力をバッテリーに充電する充電部が設けられ、
気温を検出する温度センサが設けられ、
前記内部空間に前記温度センサによって検出された温度が所定値以下であるときに前記バッテリーの電力を前記マイクロファンへ供給し、前記温度が所定値を越えるときに前記バッテリーの電力の前記マイクロファンへの供給を停止する駆動制御部が設けられている、
ことを特徴とする道路ミラー。
【請求項３】
裏板と、
前記裏板の前面に取着された前方に凸の湾曲面で形成された反射鏡とを備え、
前記反射鏡をほぼ水平に向けて設置される道路ミラーであって、
前記反射鏡の上縁部に沿って延在し雨の前記反射鏡への付着を防止する屋根フレームが前記裏板に取着され、
前記屋根フレームは、前記反射鏡の上縁部に沿って延在し前記反射鏡の前方で下方に臨む下面部と、前記下面部の上方に位置し上方に臨む上面部と、それら上面部と下面部との間で前記反射鏡の上縁部に沿って延在する内部空間と、前記内部空間に外気を取り入れる空気取り入れ口とを含んで構成され、
前記下面部に送風口が形成されるとともに、前記送風口に臨ませて前記内部空間にマイクロファンが設けられ、
前記上面部に太陽電池パネルが取着され、
前記内部空間に前記太陽電池パネルから出力される電力をバッテリーに充電する充電部が設けられ、
湿度を検出する湿度センサが設けられ、
前記内部空間に前記湿度センサによって検出された湿度が所定値以上であるときに前記バッテリーの電力を前記マイクロファンへ供給し、前記湿度が所定値よりも小さいときに前記バッテリーの電力の前記マイクロファンへの供給を停止する駆動制御部が設けられている、
ことを特徴とする道路ミラー。
【請求項４】
前記送風口は、前記下面部の延在方向の中央に設けられている、
ことを特徴とする請求項１、２または３記載の道路ミラー。
【請求項５】
前記送風口は、前記下面部の延在方向の中央の２箇所に設けられ、
前記マイクロファンは前記２つの送風口に臨ませて２つ設けられている、
ことを特徴とする請求項１、２または３記載の道路ミラー。
【請求項６】
前記送風口は、前記下面部の延在方向の中央に設けられ、
前記空気取り入れ口は、前記下面部の延在方向の両端にそれぞれ設けられている、
ことを特徴とする請求項１、２または３記載の道路ミラー。
【請求項７】
前記バッテリーは前記内部空間に設けられている、
ことを特徴とする請求項１、２または３記載の道路ミラー。
【請求項８】
前記照度センサは、前記屋根フレームの外面、あるいは、前記裏板の後面、あるいは、地面から立設され前記裏板が取着された支柱の上部の何れかに設けられている、
ことを特徴とする請求項１記載の道路ミラー。
【請求項９】
前記温度センサは、前記屋根フレームの外面、あるいは、前記裏板の後面、あるいは、地面から立設され前記裏板が取着された支柱の上部の何れかに設けられている、
ことを特徴とする請求項２記載の道路ミラー。
【請求項１０】
前記湿度センサは、前記屋根フレームの外面、あるいは、前記裏板の後面、あるいは、地面から立設され前記裏板が取着された支柱の上部の何れかに設けられている、
ことを特徴とする請求項３記載の道路ミラー。
【発明の詳細な説明】
【技術分野】
【０００１】
本発明は結露を防止する機能を有する道路ミラーに関する。
【背景技術】
【０００２】
従来から、道路の曲がり角などに凸の湾曲面で形成された反射鏡を備えた道路ミラーが設置されている。
ところが、夜間における道路ミラーの設置場所の気温低下に伴い反射鏡の温度が低下すると、空気中の水分が反射鏡に結露して反射鏡が曇り、視界が遮られてしまう不具合があった。
このような不具合を解消するために、反射鏡の背面に設けたヒーターに太陽電池、バッテリー、商用電源などから電力を供給することで反射鏡を加温し、結露を防止するようにした道路ミラーが提案されている（特許文献１、２、３参照）。
【特許文献１】実開平５−７３０１６号公報
【特許文献２】特開平６−２７３１０号公報
【特許文献３】特開平７−２５９０２４号公報
【発明の開示】
【発明が解決しようとする課題】
【０００３】
しかしながら、上述した道路ミラーでは、ヒーターはもともと消費電力が大きく、しかも結露が発生するような低い温度の反射ミラーをヒーターで加温しなくてはならないことから大きな消費電力が必要であり、したがって、太陽電池やバッテリーとして大容量で形状が大きなものが必要となることから大きな占有スペースを必要とし、道路ミラーのコンパクト化を図る上で不利があった。
また、商用電源を用いる場合には商用電源を確保しなくてはならないことから設置場所が制約されるばかりでなく、電力を伝送するケーブルが必要となることからケーブル自体のコストに加え設置工事のコストが必要となりコストがかさむ不利があった。
本発明はこのような事情に鑑みなされたものであり、その目的は、結露を効果的に防止しつつ、コンパクト化および低コスト化を図る上で有利な道路ミラーを提供することにある。
【課題を解決するための手段】
【０００４】
上述の目的を達成するため、本発明は、裏板と、前記裏板の前面に取着された前方に凸の湾曲面で形成された反射鏡とを備え、前記反射鏡をほぼ水平に向けて設置される道路ミラーであって、前記反射鏡の上縁部に沿って延在し雨の前記反射鏡への付着を防止する屋根フレームが前記裏板に取着され、前記屋根フレームは、前記反射鏡の上縁部に沿って延在し前記反射鏡の前方で下方に臨む下面部と、前記下面部の上方に位置し上方に臨む上面部と、それら上面部と下面部との間で前記反射鏡の上縁部に沿って延在する内部空間と、前記内部空間に外気を取り入れる空気取り入れ口とを含んで構成され、前記下面部に送風口が形成されるとともに、前記送風口に臨ませて前記内部空間にマイクロファンが設けられ、前記上面部に太陽電池パネルが取着され、前記内部空間に前記太陽電池パネルから出力される電力をバッテリーに充電する充電部が設けられ、明るさを検出する照度センサが設けられ、前記内部空間に前記照度センサによって検出された明るさが所定値以下であるときに前記バッテリーの電力を前記マイクロファンへ供給し、前記明るさが所定値を越えるときに前記バッテリーの電力の前記マイクロファンへの供給を停止する駆動制御部が設けられていることを特徴とする。
また本発明は、裏板と、前記裏板の前面に取着された前方に凸の湾曲面で形成された反射鏡とを備え、前記反射鏡をほぼ水平に向けて設置される道路ミラーであって、前記反射鏡の上縁部に沿って延在し雨の前記反射鏡への付着を防止する屋根フレームが前記裏板に取着され、前記屋根フレームは、前記反射鏡の上縁部に沿って延在し前記反射鏡の前方で下方に臨む下面部と、前記下面部の上方に位置し上方に臨む上面部と、それら上面部と下面部との間で前記反射鏡の上縁部に沿って延在する内部空間と、前記内部空間に外気を取り入れる空気取り入れ口とを含んで構成され、前記下面部に送風口が形成されるとともに、前記送風口に臨ませて前記内部空間にマイクロファンが設けられ、前記上面部に太陽電池パネルが取着され、前記内部空間に前記太陽電池パネルから出力される電力をバッテリーに充電する充電部が設けられ、気温を検出する温度センサが設けられ、前記内部空間に前記温度センサによって検出された温度が所定値以下であるときに前記バッテリーの電力を前記マイクロファンへ供給し、前記温度が所定値を越えるときに前記バッテリーの電力の前記マイクロファンへの供給を停止する駆動制御部が設けられていることを特徴とする。
また本発明は、前記裏板の前面に取着された前方に凸の湾曲面で形成された反射鏡とを備え、前記反射鏡をほぼ水平に向けて設置される道路ミラーであって、前記反射鏡の上縁部に沿って延在し雨の前記反射鏡への付着を防止する屋根フレームが前記裏板に取着され、前記屋根フレームは、前記反射鏡の上縁部に沿って延在し前記反射鏡の前方で下方に臨む下面部と、前記下面部の上方に位置し上方に臨む上面部と、それら上面部と下面部との間で前記反射鏡の上縁部に沿って延在する内部空間と、前記内部空間に外気を取り入れる空気取り入れ口とを含んで構成され、前記下面部に送風口が形成されるとともに、前記送風口に臨ませて前記内部空間にマイクロファンが設けられ、前記上面部に太陽電池パネルが取着され、前記内部空間に前記太陽電池パネルから出力される電力をバッテリーに充電する充電部が設けられ、湿度を検出する湿度センサが設けられ、前記内部空間に前記湿度センサによって検出された湿度が所定値以上であるときに前記バッテリーの電力を前記マイクロファンへ供給し、前記湿度が所定値よりも小さいときに前記バッテリーの電力の前記マイクロファンへの供給を停止する駆動制御部が設けられていることを特徴とする。
【発明の効果】
【０００５】
本発明によれば、空気中の水分が反射鏡に付着しようとしても、駆動制御部によるマイクロファンへの電力供給が行われることによりマイクロファンにより作られた緩やかな空気流が反射鏡の表面に沿って流れるため、空気中の水分の反射鏡への付着が防止され、結露が防止される。
【発明を実施するための最良の形態】
【０００６】
（第１の実施の形態）
次に本発明の実施の形態について図面を参照して説明する。
図１は第１の実施の形態の道路ミラー１０を正面から見た説明図、図２は図１の断面側面図、図３は第１の実施の形態の道路ミラー１０の制御系の構成を示すブロック図である。
図１、図２に示すように、道路ミラー１０は、裏板１２と、反射鏡１４と、屋根フレーム１６と、２つのマイクロファン１８と、太陽電池パネル２０と、２つのバッテリー２２と、充電部２４（図３参照）と、照度センサ２６と、駆動制御部２８（図３参照）とを含んで構成されている。
反射鏡１４は、板状を呈する裏板１２の前面に取着されており、前方に凸の湾曲面１４Ａで形成され、湾曲面１４Ａは鏡面で形成されている。このような反射鏡１４の構成は、従来公知の様々な構造が採用可能である。
本実施の形態では反射鏡１４は平面視円形を呈している。
道路ミラー１０は、裏板１２の後面が取付金具３０を介して地面から鉛直方向に立設された支柱３２の上端に取着されることで、反射鏡１４をほぼ水平に向けた状態で設置されている。
【０００７】
屋根フレーム１６は、反射鏡１４の上縁部に沿って延在し雨の反射鏡１４への付着を防止するものであり、裏板１２に取着されている。
屋根フレーム１６は、反射鏡１４の前方で下方に臨み反射鏡１４の上縁部に沿って延在する下面部１６０２と、下面部１６０２の上方に位置し上方に臨む上面部１６０４と、上面部１６０４の前縁と下面部１６０２の前縁とを接続する前面部１６０６と、上面部１６０４の後縁と下面部１６０２の後縁とを接続する後面部１６０８とを有し、それら面１６０２、１６０４、１６０６、１６０８の内側に反射鏡１４の上縁部に沿って延在する内部空間Ｓを有している。この内部空間Ｓは、後述するように、マイクロファン１８、バッテリー２２、プリント基板３４などの配設スペースとして機能する他、空気取り入れ口１６１０からマイクロファン１８、送風口１６１０に至る空気路として機能する。
下面部１６０２には、その延在方向の中心を挟み、かつ、該中心寄りの２箇所に２つの送風口１６１０が形成されている。
また、下面部１６０２の延在方向の両端の箇所には、それぞれ小径な複数の貫通孔からなる空気取り入れ口１６１２がそれぞれ形成されている。なお、空気取り入れ口１６１２は前面部１６０６や裏板１２などに設けてもよいが、このように下面部１６０２に形成すると、空気取り入れ口１６１２に向かう空気流を反射鏡１４の表面に作ることができ、結露を防止する上で有利となる。
【０００８】
太陽電池パネル２０は光（太陽光）を受光することで光を電力に変換して出力するものであり、上面部１６０４に取着され、その受光面が上方に臨んでいる。
太陽電池パネル２０は、図１に示すように、上面部１６０４の上部のみに取着してもよく、あるいは、上面部１６０４のほぼ全域に取着してもよい。
【０００９】
２つのバッテリー２２は、太陽電池パネル２０から充電部２４を介して供給される電力によって充電されることで電力を蓄える２次電池であり、内部空間Ｓに設けられている。
実施の形態では、２つのバッテリー２２は、２つの送風口１６１０の外側にそれぞれ配置されている。
なお、バッテリー２２は、裏板１２の後面、あるいは、支柱３２の上部や下部など内部空間Ｓ以外の箇所に設けてもよい。しかしながら、バッテリー２２は後述するように小容量で形状が小型のものでよいため、本実施の形態のようにバッテリー２２を限られた内部空間Ｓに収容することができ、このようにバッテリー２２を内部空間Ｓに収容すれば、道路ミラー１０の取り扱い上有利となり、また、道路ミラー１０の外観を向上させる上で有利となる。
【００１０】
２つのマイクロファン１８は、内部空間Ｓ内で２つの送風口１６１０にそれぞれ臨ませて設けられている。
各マイクロファン１８は、駆動制御部２８から電力が供給されることにより作動して送風口１６１０から穏やかな空気流を反射鏡１４上に流すものである。
詳細に説明すると、図１に一点鎖線で示すように、２つの空気取り入れ口１６１０から内部空間Ｓに取り込まれた外気は、２つのバッテリー２２と上面部１６０４の間を通って２つのマイクロファン１８に吸引され、２つのマイクロファン１８から２つの送風口１６１０を介して反射鏡１４上を穏やかに流れる。
マイクロファン１８は、モータと、そのモータによって回転駆動されファンと、それらモータおよびファンを収容する円筒状のケースなどを備え、このようなマイクロファン１８として種々の市販品を用いることができる。
マイクロファン１８は小電力で回転駆動され、消費電力が小さい。本発明では、緩やかな回転速度で穏やかな空気流を作ればよいので、消費電力は極めて小さい。
【００１１】
照度センサ２６は、明るさを検出して該明るさに対応する検出信号を出力するものであり、屋根フレーム１６の外面に設けられている。
本実施の形態では、照度センサ２６は後面部１６０８が外方に臨む外面に取着されている。
なお、照度センサ２６は、道路ミラー１０と離れた箇所に設置してもよいが、照度センサ２６を屋根フレーム１６の外面、あるいは、裏板１２の後面、あるいは、地面から立設され裏板１２が取着された支柱３２の上部の何れかに設けると、道路ミラー１０の取り扱い上有利となり、また、道路ミラー１０の外観を向上させる上で有利となる。
【００１２】
図２に示すように、後面部１６０８が内部空間Ｓに臨む内面にプリント基板３４が取着されており、このプリント基板３４に充電部２４と駆動制御部２８が設けられている。
図３に示すように、充電部２４は、太陽電池パネル２０から出力される電力の電流および電圧を調整してバッテリー２２に供給することによってバッテリー２２を充電するものであり、バッテリー２２が満充電になれば充電を停止するものである。
駆動制御部２８は、照度センサ２６によって検出された明るさが所定値以下であるときにバッテリー２２の電力をマイクロファン１８へ供給し、前記明るさが所定値を越えるときにバッテリー２２の電力のマイクロファン１８への供給を停止するものであり、要約すると、夜間にマイクロファン１８を駆動し、日中にマイクロファン１８を停止させるものである。上述のようにマイクロファン１８へ供給する電力は、穏やかな空気流を作るものであるため極めて小さい。
【００１３】
次に作用効果について説明する。
まず、日中においては、照度センサ２６からの検出信号に基づいて駆動制御部２８によるマイクロファン１８への電力供給が停止されており、マイクロファン１８の送風動作が停止している。
そして、太陽光が太陽電池パネル２０に照射されることによって太陽電池パネル２０で生成された電力が充電部２４を介してバッテリー２２に充電される。
夜間になると、照度センサ２６からの検出信号に基づいて駆動制御部２８によるマイクロファン１８への電力供給が行われ、マイクロファン１８の送風動作が行われ、マイクロファン１８により緩やかな空気流が作られ、この空気流は反射鏡１４の表面に沿って流れる。
したがって、夜間における気温の低下に伴い反射鏡１４の温度が低下し、空気中の水分が反射鏡１４に付着しようとしても、マイクロファン１８で作られる空気流が反射鏡１４の表面に沿って流れているため、空気中の水分の反射鏡１４への付着が防止され、結露が防止される。
したがって、反射鏡１４が曇り、視界が遮られてしまうことを確実に防止することができる。
また、穏やかな空気流を作るに足る小さな電流をマイクロファン１８に供給すればよいので、マイクロファン１８の電力消費量が極めて小さくて済み、したがって、低い温度の反射鏡をヒーターで加温しなければならない場合に比較して、太陽電池パネル２０やバッテリー２２が小容量で小さな形状のもので足り、しかも、小容量のバッテリー２２によって長時間にわたってマイクロファン１８を駆動させることができる。
したがって、太陽電池パネル２０やバッテリー２２の占有スペースが少なく、バッテリー２２を小さな屋根フレーム１６に収容でき、道路ミラー１０の取り扱い上、外観上有利となり、道路ミラー１０のコンパクト化を図る上で有利となる。
また、商用電源を用いないので、設置場所の制約が少なく、電力伝送用のケーブルやその設置工事が不要で低コスト化を図る上でも有利である。
また、本実施の形態では、送風口１６１０が下面部１６０２の延在方向の中央に位置し、空気取り入れ口１６１２が下面部１６０２の延在方向の両端に位置しているため、外気が反射鏡１４の左右側部を通って空気取り入れ口１６１２に導かれる。
したがって、送風口１６１０から流される空気流に加え、空気取り入れ口１６１２に向かう空気流によっても反射鏡１４の左右側部の結露を防止することができ、反射鏡１４の全域の結露を防止する上で有利となる。
【００１４】
（第２の実施の形態）
第２の実施の形態は、照度センサ２６に代えて温度センサ４０を設けた点が第１の実施の形態と異なっている。
図４は第２の実施の形態の道路ミラー１０の制御系の構成を示すブロック図である。
図４に示すように、気温を検出して該気温に対応する検出信号を出力する温度センサ４０が設けられている。
温度センサ４０は、第１の実施の形態の照度センサ２６と同様に後面部１６０８が外方に臨む外面に取着されている。
駆動制御部２８は、温度センサ４０によって検出された温度が所定値以下であるときにバッテリー２２の電力をマイクロファン１８へ供給し、前記温度が所定値を越えるときにバッテリー２２の電力のマイクロファン１８への供給を停止するものであり、要約すると、結露が発生しやすい気温でマイクロファン１８を駆動し、結露が発生しない気温でマイクロファン１８を停止させるものである。第２の実施の形態においても、マイクロファン１８へ供給する電力は、穏やかな空気流を作るものであるため極めて小さい。
なお、温度センサ４０は、道路ミラー１０と離れた箇所に設置してもよいが、温度センサ４０を屋根フレーム１６の外面、あるいは、裏板１２の後面、あるいは、地面から立設され裏板１２が取着された支柱３２の上部の何れかに設けると、道路ミラー１０の取り扱い上有利となり、また、道路ミラー１０の外観を向上させる上で有利となる。
このような第２の実施の形態によっても第１の実施の形態と同様の効果が奏される。
【００１５】
（第３の実施の形態）
第３の実施の形態は、照度センサ２６に代えて湿度センサ４２を設けた点が第１の実施の形態と異なっている。
図５は第３の実施の形態の道路ミラー１０の制御系の構成を示すブロック図である。
図５に示すように、湿度を検出して該湿度に対応する検出信号を出力する湿度センサ４２が設けられている。
湿度センサ４２は、第１の実施の形態の照度センサ２６と同様に後面部１６０８が外方に臨む外面に取着されている。
駆動制御部２８は、湿度センサ４２によって検出された湿度が所定値上であるときにバッテリー２２の電力をマイクロファン１８へ供給し、前記湿度が所定値よりも小さいときにバッテリー２２の電力のマイクロファン１８への供給を停止するものであり、要約すると、結露が発生しやすい湿度でマイクロファン１８を駆動し、結露が発生しない湿度でマイクロファン１８を停止させるものである。第３の実施の形態においても、マイクロファン１８へ供給する電力は、穏やかな空気流を作るものであるため極めて小さい。
なお、湿度センサ４２は、道路ミラー１０と離れた箇所に設置してもよいが、湿度センサ４２を屋根フレーム１６の外面、あるいは、裏板１２の後面、あるいは、地面から立設され裏板１２が取着された支柱３２の上部の何れかに設けると、道路ミラー１０の取り扱い上有利となり、また、道路ミラー１０の外観を向上させる上で有利となる。
このような第３の実施の形態によっても第１の実施の形態と同様の効果が奏される。
【図面の簡単な説明】
【００１６】
【図１】第１の実施の形態の道路ミラー１０を正面から見た説明図である。
【図２】図１の断面側面図である。
【図３】第１の実施の形態の道路ミラー１０の制御系の構成を示すブロック図である。
【図４】第２の実施の形態の道路ミラー１０の制御系の構成を示すブロック図である。
【図５】第３の実施の形態の道路ミラー１０の制御系の構成を示すブロック図である。
【符号の説明】
【００１７】
１０……道路ミラー、１２……裏板、１４……反射鏡、１６……屋根フレーム、１６０２……下面部、１６０４……上面部、Ｓ……内部空間、１６１０……送風口、１６１２……空気取り入れ口、１８……マイクロファン、２０……太陽電池、２２……バッテリー、２４……充電部、２６……照度センサ、２８……駆動制御部、４０……温度センサ、４２……湿度センサ。
【図１】
2008088644.tif 000003
【図２】
2008088644.tif 000004
【図３】
2008088644.tif 000005
【図４】
2008088644.tif 000006
【図５】
2008088644.tif 000007